(57)【特許請求の範囲】
【請求項１】
第1のヨークに巻回された第1のコイルと、この第1のコイルにアノードが接続された順方向の第1のダイオードと、この第1のダイオードのカソードに一端が接続され、前記第1のヨークに巻回された第２のコイルと、前記第1のダイオードと前記第２のコイルの直列回路に対して並列接続された第1の抵抗とからなり、少なくとも画面上部のミスコンバージェンスを補正する第1のコマコイル部と、
第２のヨークに巻回された第３のコイルと、この第３のコイルにカソードが接続された逆方向の第２のダイオードと、この第２のダイオードのアノードに一端が接続され、前記第２のヨークに巻回された第４のコイルと、前記第２のダイオードと前記第４のコイルの直列回路に対して並列接続された第２の抵抗とからなり、少なくとも画面下部のミスコンバージェンスを補正する第２のコマコイル部と、
前記第1と第３のコイルに対して直列接続された垂直偏向コイルと、
を具備したことを特徴とする偏向ヨーク装置。
【請求項２】
順方向の第1のダイオードと、この第1のダイオードのカソードに一端が接続され、第1のヨークに巻回された第1のコイルと、この第1のコイルの他端に一端が接続され、前記第1のヨークに巻回された第２のコイルと、前記第1のダイオードと前記第１のコイルの直列回路に対して並列接続された第1の抵抗とからなり、少なくとも画面上部のミスコンバージェンスを補正する第1のコマコイル部と、
逆方向の第２のダイオードと、この第２のダイオードのアノードに一端が接続され、第２のヨークに巻回された第３のコイルと、この第３のコイルの他端に一端が接続され、前記第２のヨークに巻回された第４のコイルと、前記第２のダイオードと前記第３のコイルの直列回路に対して並列接続された第２の抵抗とからなり、少なくとも画面下部のミスコンバージェンスを補正する第1のコマコイル部と、
前記第1と第２のダイオードに対して直列接続された垂直偏向コイルと、
を具備したことを特徴とする偏向ヨーク装置。
【請求項３】
前記第２と第４のコイルの他端には、さらに直列接続された第5、第6のコイルが接続されていることを特徴とする請求項１又は２記載の偏向ヨーク装置。
【請求項４】
前記第１と第２のコイルの間、及び前記３と第４のコイルの間には、それぞれ中間タップが設けられていることを特徴とする請求項２記載の偏向ヨーク装置。
【発明の詳細な説明】
【０００１】
【発明の属する技術分野】
この発明は、例えばカラーブラウン管のようなカラー陰極線管のネック部に装着される偏向ヨーク装置に関する。
【０００２】
【従来の技術】
テレビジョン受信機に用いられるカラーブラウン管のネック部には、偏向ヨーク装置が取り付けられる。偏向ヨーク装置は、電子銃から発射される電子ビームを水平及び垂直方向へ偏向する。これにより、ブラウン管のスクリーンに電子ビームが照射され、ラスタ走査が実現される。
【０００３】
図１は、従来の偏向ヨーク装置の概観を斜視図である。偏向ヨーク装置は、鞍型水平偏向コイル（図示していない）と、トロイダルコア１２に直接巻線された垂直偏向コイル１３とを有する。水平偏向コイルは、コイルセパレータ１４の内周側に配設され、垂直偏向コイル１３は、コイルセパレータ１４の外周側に配設される。
【０００４】
コイルセパレータ１４は、軸方向に中空を有し、前方の径大部と、後方の径小部にそれぞれ鍔部を有するするボビン体である。
【０００５】
また、偏向ヨーク装置の後端部には、コマコイル１５が配置されている。さらに端子板１６が取り付けられており、コイル等を接続する中継端子板として用いられる。
【０００６】
図２（Ａ）に示すように、コマコイル１５は、同じ巻き数の第１のコマコイル部１５１（コイル１５ａ，１５ｃを含む）と、第２のコマコイル部１５２（コイル１５ｂ、１５ｄを含む）とを有する。コマコイル部１５１と１５２は、同様な構造である。
【０００７】
図２（Ｂ）に示すように第１のコマコイル部１５１は、コイル１５ａ，１５ｃが、ボビン５Ａ１に巻線されることで構成されている。ボビン５Ａ１の中空には、ヨーク５Ｂ１が貫通している。第２のコマコイル部１５２も同様な構成である。つまり、コマコイル１５は、画面上側に対応する第１のコマコイル部１５１と、画面下部側に対応する第２のコマコイル部１５２とで構成される。
【０００８】
なおコイル１５ａ，１５ｃの巻き線層は、いずれが上層であってもよく、またコイル１５ｂ、１５ｄの巻線層も、いずれが上層であってもよい。
【０００９】
図３（Ａ）、図３（Ｂ）は、上記した、各コイル及び電子部品の結線図である。水平偏向系は、図３（Ａ）に示すように、水平偏向コイル１１に差動コイル１７が接続された構成である。水平偏向コイル１１は、コイルセパレータ１４の左右の鞍型コイル部１１Ａ、鞍型コイル部１１Ｂで構成されている。なお垂直偏向コイルとして、１対の鞍型垂直偏向コイルが用いられると、この鞍型垂直偏向コイルは、左右に配置される。
【００１０】
垂直偏向系は、図３（Ｂ）に示すように、垂直偏向コイル１３に、コマコイル１５が接続されている。垂直偏向コイル１３は、コイルセパレータ１４の上下に夫々配置され、直列接続されたコイル部分１３Ａ，１３Ｂで構成される。
【００１１】
垂直偏向コイル１３の一端には、電源端子Ｔ１が設けられている。垂直偏向コイル１３の他端には、コマコイル１５のコイル１５ａ，１５ｂの一端が共通に接続されている。コイル１５ａの他端は、順方向にダイオードＤ１を介してコイル１５ｄの一端に接続され、コイル１５ｂの他端は、逆方向にダイオードＤ２を介してコイル１５ｄの一端に接続される。ここで、ダイオードＤ１，Ｄ２には、それぞれ抵抗Ｒ１，Ｒ２が並列接続されている。コイル５ｄの他端は、コイル５ｃの一端に接続される。コイル５ｃの他端は、電源端子Ｔ２が設けられている。
【００１２】
上記のコイル１５ａ，１５ｂは、ＹＨコイルとも称されるもので、電子ビームが特に画面の上部、下部の領域を走査するときのサイドビーム（赤・青）の横方向のミスコンバージェンスを補正する目的で設けられている。また、コイル１５ｄ、１５ｃは、ＶＣＲコイルとも称されるものであり、電子ビームが特に画面の上部、下部の領域を操作するときのセンタービーム（緑）とサイドビーム（赤・青）の縦方向のミスコンバージェンスを補正する目的で設けられている。
【００１３】
上記の垂直偏向系において、電源端子に垂直走査信号を与えると、並列接続関係にあるＹＨコイルであるコイル１５ａ、１５ｂに電流５ａ，５ｂが流れる。
【００１４】
図４は、コイル１５ａ、１５ｂに流れる電流が、画面の上部側と、下部側とでどのように変化するかを示している。実線がコイル１５ａに流れる電流５ａ、破線がコイル１５ｂに流れる電流５ｂである。ｔは時間軸である。ｉは電流値（Ａ）である。
【００１５】
画面上部偏向時には、正の電源端子に正の高電圧が与えられ時間とともに減少される。このときは、ダイオードＤ１が順方向へバイアスされてオンし、ダイオードＤ２は逆方向へバイアスしオフする。このために、コイル１５ｂには、抵抗Ｒ２が直列接続された状態となる。
【００１６】
この結果、画面上部偏向時は、上部側のコイル１５ａに流れる電流が下部側のコイル１５ｂに流れる電流より大きい。このときは、上部側のコイル１５ａにより大きなピンクッション磁界を形成する。そして、結果的にＹ（画面縦）軸横方向のミスコンバージェンスＹＨを修正できる。
【００１７】
また、画面下部偏向時は、下部側のコイル１５ｂに流れる電流が上部側のコイル１５ａに流れる電流より大きい。このときは、下部側のコイル１５ｂにより大きなピンクッション磁界を形成して同様にＹ軸横方向のミスコンバージェンスＹＨを修正することができるものである。（ＹＨコイルと抵抗及びダイオードで構成された部分をＹＨ補正回路と呼ぶ。）
しかし、さらに詳細に検討すると、図４からわかるように、画面上部偏向時に上側のコイル１５ａと下側のコイル１５ｂに流れる電流の差が画面中央部Ｉ１と画面周辺部Ｉ２にかけて縮まっている。
【００１８】
このことは、図５に示すようにＹ軸横方向ミスコンバージェンスＹＨが画面上端部において（青の電子ビームが左に、赤の電子ビームが右に）発生することである。この傾向は画面全体に及んでしまい、画質劣化の原因となっている。図５は、カラーブラウン管スクリーンを正面からみて、Ｒ，Ｇ，Ｂのビームスポットの垂直方向の軌跡を一部示したものである。上記したように、画面上部においては、電流５ａ、５ｂの相違があるために、ミスコンバージェンスが発生している。
【００１９】
図６は、別のＹＨ補正回路である。図２の補正回路に比べ、抵抗Ｒ１ａ，Ｒ２ａと，ダイオードＤ１ａ，Ｄ２ａを追加してダイオードの立ち上がりを細かく行ない、電流波形を整えることを狙った回路である。なお図５に示した各素子に対応する部分には、図５と同一符号を付している。このＹＨ補正回路によると、ミスコンバージェンスを無くすのに、多少の効果は得られるが、画面周辺部のミスコンバージェンスＹＨの発生要素は根本的には改善できていない。
【００２０】
【発明が解決しようとする課題】
上記したように、従来の偏向ヨーク装置においては、ＹＨ補正回路の２つのコイル部の電流変化が、リニアに変化せず、特に画面上部においてミスコンバージェンスを発生する問題がある。
【００２１】
そこでこの発明は、簡単な構成で画面上部におけるＹ軸横方向に対するミスコンバージェンスを防止することができる偏向ヨーク装置を提供することを目的とする。
【００２２】
【課題を解決するための手段】
この発明は、第1のヨークに巻回された第1のコイルと、この第1のコイルにアノードが接続された順方向の第1のダイオードと、この第1のダイオードのカソードに一端が接続され、前記第1のヨークに巻回された第２のコイルと、前記第1のダイオードと前記第２のコイルの直列回路に対して並列接続された第1の抵抗とからなり、少なくとも画面上部のミスコンバージェンスを補正する第1のコマコイル部と、第２のヨークに巻回された第３のコイルと、この第３のコイルにカソードが接続された逆方向の第２のダイオードと、この第２のダイオードのアノードに一端が接続され、前記第２のヨークに巻回された第４のコイルと、前記第２のダイオードと前記第４のコイルの直列回路に対して並列接続された第２の抵抗とからなり、少なくとも画面下部のミスコンバージェンスを補正する第２のコマコイル部と、前記第1と第３のコイルに対して直列接続された垂直偏向コイルとをする。またこの発明は、順方向の第1のダイオードと、この第1のダイオードのカソードに一端が接続され、第1のヨークに巻回された第1のコイルと、この第1のコイルの他端に一端が接続され、前記第1のヨークに巻回された第２のコイルと、前記第1のダイオードと前記第１のコイルの直列回路に対して並列接続された第1の抵抗とからなり、少なくとも画面上部のミスコンバージェンスを補正する第1のコマコイル部と、逆方向の第２のダイオードと、この第２のダイオードのアノードに一端が接続され、第２のヨークに巻回された第３のコイルと、この第３のコイルの他端に一端が接続され、前記第２のヨークに巻回された第４のコイルと、前記第２のダイオードと前記第３のコイルの直列回路に対して並列接続された第２の抵抗とからなり、少なくとも画面下部のミスコンバージェンスを補正する第1のコマコイル部と、前記第1と第２のダイオードに対して直列接続された垂直偏向コイルとを備える。
【００２３】
【発明の実施形態】
以下、この発明の実施の形態を図面を参照して説明する。
【００２４】
図７はこの発明の一実施の形態を示す。端子Ｔ１に垂直偏向コイル１３の一端が接続されている。垂直偏向コイル１３の他端には、コマコイル１００の第１のコイル１１１ａ、第３のコイル１１１ｂの一端が共通に接続されている。コイル１１１ａの他端は、順方向にダイオードＤ１を介して、第２のコイル１１１ｃの一端に接続される。第２のコイル１１１ｃの他端は、コイル１１１ｆの一端に接続される。
【００２５】
第３のコイル１１１ｂの他端は、逆方向にダイオードＤ２を介して第４のコイル１１１ｄの一端に接続される。第４のコイル１１１ｄの他端は、コイル１１１ｆの一端に接続される。
【００２６】
ここで、ダイオードＤ１とコイル１１１ｃの直列回路に対して、抵抗Ｒ１が並列に接続されている。またダイオードＤ２とコイル１１１ｄの直列回路に対して、抵抗Ｒ２が並列に接続されている。
【００２７】
先のコイル１１１ｆの他端はコイル１１１ｅを介して端子Ｔ２に接続されている。
【００２８】
上記のコイル１１１ａ，１１１ｂ、１１１ｃ、１１１ｄは、ＹＨコイルと称されるもので、電子ビームが特に画面の上部、下部の領域を走査するときのサイドビーム（赤・青）の横方向のミスコンバージェンスを補正する目的で設けられている。また、コイル１１１ｆ、１１１ｅは、ＶＣＲコイルと称されるものであり、電子ビームが特に画面の上部、下部の領域を操作するときのセンタービーム（緑）とサイドビーム（赤・青）の縦方向のミスコンバージェンスを補正する目的で設けられている。
【００２９】
図８には、上記の各コイルが第１、第２のコマコイル部１５１、１５２として構成された場合の部品を示している。第１のコマコイル部１５１は、画面上側に対応するように偏向ヨーク後方の鍔部に取り付けられ、また第２のコマコイル部１５２は、画面下側に対応するように偏向ヨーク装置の後方の鍔部に取り付けられる。この取り付け状態は、図１で示した通りである。第１のコマコイル部１５１には、コイル１１１ａ，１１１ｃ，１１１ｅが巻回されており、また第２のコマコイル部１５２には、コイル１１１ｂ、１１１ｄ、１１１ｆが巻回されている。そして各ダイオード、抵抗が図１で示したような端子板１６に取り付けられ、図７で示すような結線が成される。
【００３０】
なお各第１、第２のコマコイル部１５１、１５２において、各コイルの巻回層の順番は、特に限定されるものではない。この例では、３層構造であり（特に巻線は順不同であるが）第１層にＶＣＲコイルとしてのコイル１１１ｅ、１１１ｆ、第２層にＹＨコイルとしての第１コイル１１１ａ、１１１ｂ、第３層にＹＨこいるとしての第２コイル１１１ｃ、１１１ｄというような配置となり、夫々は個別に巻線されるものである。
【００３１】
上記のように構成されたコマコイルの動作を説明する。画面上部偏向時には、電流は向かって図上、左から右へ流れるので、垂直偏向コイル１３を流れる電流Ｉｖは上部の第１ＹＨコイルであるコイル１１１ａに流れる電流Ｉｕと、下部の第１ＹＨコイルであるコイル１１１ｂに流れる電流Ｉｄに分かれる。
【００３２】
更に電流ＩｕはダイオードＤ１及び上部の第２ＹＨコイルであるコイル１１１ｃに流れる電流Ｉｕｄと抵抗Ｒ１に流れる電流Ｉｕｒに分れる。一方、電流ＩｄはダイオードＤ２と下部の第２ＹＨコイルであるコイル１１１ｄにはほとんど流れることはなく、抵抗Ｒ２を電流Ｉｄｒとして流れることになる。
【００３３】
この結果としてダイオードＤ１がオンする上部側のコイル１１１ａ，１１１ｃに流れる電流が、下部側のコイル１１１ｂ、１１１ｄに流れる電流よりも大きくなる。
【００３４】
一般にコイルに交流電流が流れる時には逆起電力が発生するものであり、パルス電圧が加わった時点、つまり画面上端部偏向時においては逆起電力を発生させる影響が大きい。このため、コイルには各々、逆起電力が発生しようとするが、実際に逆起電力として大きく影響を与えるのは、ダイオードの影響により、下部側のコイル１１１ｂの逆起電力電流と下部側のコイル１１１ｄの逆起電力電流である。
【００３５】
このために画面上端部偏向時は、電流Ｉｕは増加する方向に、Ｉｄは減少する方向に、逆起電力電流の影響を受けて、図９に示すように、画面上端部領域において、電流差Ｉ３が大きくなる。図９には、上部側のコイル部１１１ａに流れる電流を１１ａとして示し、下部側のコイル部１１１ｂに流れる電流を１１ｂとして示している。ｔは時間軸である。ｉは電流値（Ａ）である。
【００３６】
この結果としてＹＨ補正が直線的になり、画面上端部での局部的なミスコンバージェンスＹＨが発生しないことになる。また、画面下部偏向時においては、これら逆起電力の影響はなく、ほぼ直線的なＹＨ補正を行なうことができるので、画面全体に亙って良好なコンバージェンス性能を実現することができる。
【００３７】
つまり、このコンバージェンス補正回路により、補正コイルに流れる電流波形を整形し、補正コイルが発生する磁界を整えることができるので、画面全体に亙って良好なコンバージェンス性能を得ることが出来る。
【００３８】
上述した実施例においては、垂直偏向コイルやＶＣＲコイルが直列接続の状態にて説明を行なっているが、これらコイルは並列接続の場合も使用可能である。また、他のコイルや素子等が接続されていても同様に使用することができる。更に垂直偏向コイルがコアに直接巻線されたトロイダル形垂直偏向コイルを図１でしめし、そのＹＨ補正回路として説明したが、本発明は鞍形垂直偏向コイルの場合にも同様に適用できるものである。
【００３９】
この発明は、上記の実施の形態に限定されるものではない。
【００４０】
図１０は、コマコイルの別の実施形態を示している。
【００４１】
端子Ｔ１に垂直偏向コイル１３の一端が接続されている。垂直偏向コイル１３の他端には、ダイオードＤ１のアノード、抵抗Ｒ１の一端、ダイオードＤ２のカソード、抵抗Ｒ２の一端が接続される。ダイオードＤ１のカソードは、コイル１１２ｃ、１１２ａ，１１２ｆ，１１２ｅを直列に介して端子Ｔ２に接続される。また抵抗Ｒ１の他端は、コイル１１２ｃ，１１２ａの接続点に接続される。ダイオードＤ２のアノードは、コイル１１２ｂ、１１２ｄを直列に介して、コイル１１２ａ、１１２ｆの接続点に接続される。抵抗Ｒ２の他端は、コイル１１２ｂ，１１２ｄの接続点に接続される。
【００４２】
上記のコイル部１１２ｃ、１１２ａが画面上部側に対応する第１のコマコイル部１５１を形成し、コイル１１２ｂ、１１２ｄが画面下部側に対応する第２のコマコイル部１５２を形成する。
【００４３】
図１１には、第１のコマコイル部１５１の概観を示している。ここでコイル部１１２ｃ、１１２ａを製作する場合、中間タップ部ＴＰを設けて、コイル１１２ｃ，１１２ａを連続して巻回すれば、第２のコマコイル部１５２の製造が容易である。
【００４４】
つまり、この例は、巻線を所定の巻数だけ巻き終えた時点で、コイル１１２ａを形成し、次に中間タップ用として引き出し線を確保し、更に続いてコイル１１２ｃを得るための巻線を行なって形成したものである。中間タップ部分は、抵抗Ｒ１に接続される。他方の第２のコマコイル部１５２の製作についても同様である。これにより、中間タップ（２個のコイル端末を同時に）を端子板の端子に接続できるために、コマコイルの製造及び偏向ヨークの組立作業が容易である。
【００４５】
上記のコマコイルにおいても、先の実施例と同様に、画面上部領域のミスコンバージェンスが低減される。この実施例においても、コイルの逆起電力の影響で、コイル１１２ａ，１１２ｂに流れる電流が、画面中央から画面上部に至るまで、直線的な変化となり、図９に示した電流差Ｉ３を得ることができる。
【００４６】
【発明の効果】
以上説明したようにこの発明によれば、簡単な構成で画面上部におけるＹ軸横方向に対するミスコンバージェンスを防止することができる。
【図面の簡単な説明】
【図１】偏向ヨーク装置の概観を後方から見て示す斜視図。
【図２】図１のコマコイルを形成するコイルセクションを示す斜視図及びその一部断面図。
【図３】水平偏向コイルを含む結線と垂直偏向コイルを含む結線とを示す回路図。
【図４】従来のコマコイルの上部コイル部と下部コイル部との電流関係を示す説明図。
【図５】従来のコマコイルにおける問題点であるミスコンバージェンスの例を示す説明図。
【図６】従来のコマコイルにおけるＹＨ補正回路の別の例を示す図。
【図７】この発明の一実施の形態を示す回路図。
【図８】図７の回路のＹＨ補正回路（コマコイル）の各コイルがコイルセクションとして構築されたときの概観斜視図。
【図９】この発明のコマコイルの上側コイル部と下側コイル部との電流関係を示す説明図。
【図１０】この発明の他の実施の形態を示す回路図。
【図１１】図１０に示したＹＨ補正回路のコイル部が具体的にコイルセクションとして構築された場合の概観を示す図。
【符号の説明】
１２…トロイダルコア、１３…垂直偏向コイル、１４…コイルセパレータ、１５…コマコイル、１５１、１５２…コマコイル部、Ｄ１，Ｄ２…ダイオード、Ｒ１，Ｒ２…抵抗、１００…コマコイル、１１１ａ〜１１１ｅ、１１２ａ〜１１２ｅ…コイル。
【図１】
0003557190.tif 000002
【図２】
0003557190.tif 000003
【図３】
0003557190.tif 000004
【図４】
0003557190.tif 000005
【図５】
0003557190.tif 000006
【図６】
0003557190.tif 000007
【図７】
0003557190.tif 000008
【図８】
0003557190.tif 000009
【図９】
0003557190.tif 000010
【図１０】
0003557190.tif 000011
【図１１】
0003557190.tif 000012